(57)【要約】【課題】  遊技者の興味を一層引き付けることができるパチンコ機を提供する。【解決手段】  第１変動表示器２９の表示結果が特定表示であるとき、入賞玉を大当り状態となる継続入賞口４３と大当り状態とならない通常入賞口４４a,４４ｂのいずれか一方に誘導させる一方、第１変動表示器２９の表示結果が特定表示でないとき、入賞玉を大当り状態とならない通常入賞口４４a,４４ｂに誘導させるので、第１変動表示器２９の表示結果が特定表示であっても、入賞空間に受け入れられた入賞玉が大当り状態とならない通常入賞口４４a,４４ｂへの入賞も可能性があるため、第１変動表示器２９によって特定表示が為された後の入賞玉の動きに、遊技者の興味を一層引き付けることができる。【選択図】        図１
2004351222.tif 000002
【特許請求の範囲】
【請求項１】
所定の入賞空間に受け入れた入賞玉の通過を検出する通過玉検出器と、該通過玉検出器によって前記入賞玉が検出されたことに起因して表示結果を導出する変動表示器と、前記入賞玉が入賞することで遊技者にとって有利な状態である大当り状態となる所定の入賞口と、前記入賞玉が入賞しても大当り状態とならない通常入賞口と、を備えたパチンコ機において、
前記変動表示器の表示結果が特定表示であるとき、前記入賞玉を大当り状態となる前記所定の入賞口と大当り状態とならない前記通常入賞口のいずれか一方に誘導させる一方、
前記変動表示器の表示結果が特定表示でないとき、前記入賞玉を大当り状態とならない前記通常入賞口に誘導させる、
ことを特徴とするパチンコ機。
【発明の詳細な説明】
【技術分野】
【０００１】
本発明は、可動部材が開状態のとき該可動部材によって受け入れた入賞玉が継続入賞口に入賞したときに、前記可動部材の次回の開状態が継続されるように構成された変動入賞装置等を備えたパチンコ機に関するものである。
【背景技術】
【０００２】
従来、可動部材が開状態（短時間の時間間隔で開閉動作する状態を含む）のとき受け入れた入賞玉が継続入賞口に入賞したときに可動部材の次回の開状態が継続されるように構成された変動入賞装置を備えたパチンコ機が多数市場に提供されていた。このような変動入賞装置においては、流下する入賞玉を停留したり振り分けたりするための停留部材や振分部材を変動入賞装置に内蔵せしめ、変動入賞装置に受け入れられた入賞玉がその内部に形成される継続入賞口へ誘導される状態をいろいろ変更することにより、遊技者の興味を引き付けるようにしていた。
【発明の開示】
【発明が解決しようとする課題】
【０００３】
しかし、変動入賞装置の内部に停留装置や振分部材を設けて誘導状態を変更しても、その誘導状態が遊技者にとってわかり難く遊技者の興味を引き付けることができないという欠点があった。本発明は、上記した問題点に鑑みなされたもので、その目的とするところは、遊技者の興味を一層引き付けることができるパチンコ機を提供することにある。
【課題を解決するための手段】
【０００４】
上記した目的を達成するために、請求項１記載のパチンコ機においては、所定の入賞空間に受け入れた入賞玉の通過を検出する通過玉検出器と、該通過玉検出器によって前記入賞玉が検出されたことに起因して表示結果を導出する変動表示器と、前記入賞玉が入賞することで遊技者にとって有利な状態である大当り状態となる所定の入賞口と、前記入賞玉が入賞しても大当り状態とならない通常入賞口と、を備えたパチンコ機において、前記変動表示器の表示結果が特定表示であるとき、前記入賞玉を大当り状態となる前記所定の入賞口と大当り状態とならない前記通常入賞口のいずれか一方に誘導させる一方、前記変動表示器の表示結果が特定表示でないとき、前記入賞玉を大当り状態とならない前記通常入賞口に誘導させる、ことを特徴とする。
【発明の効果】
【０００５】
請求項１においては、変動表示器の表示結果が特定表示であっても、入賞空間に受け入れられた入賞玉が大当り状態とならない通常入賞口への入賞も可能性があるため、変動表示器によって特定表示が為された後の入賞玉の動きに、遊技者の興味を一層引き付けることができる。
【発明を実施するための最良の形態】
【０００６】
以下、図面を参照して、本発明の実施形態について説明する。まず、図９を参照して実施形態に係る変動入賞装置２０が適用されるパチンコ機１の構成について説明する。パチンコ機１の額縁状に形成された前面枠２の開口には、金枠３が周設され、該金枠３にガラス扉枠４及び前面扉板５が一側を軸支されて開閉自在に設けられている。ガラス扉枠４の後方には、後述する遊技盤９が配置され、前面扉板５の表面には、打球を貯溜する上皿６が固着されている。また、上皿６の下方であって前面枠３の下部前面には、打球の弾発力を調整する操作ハンドル７と前記上皿６から溢れた賞品玉を貯溜する下皿８が設けられている。
【０００７】
前記ガラス扉枠４の後方に位置する遊技盤９の表面には、前記操作ハンドル７の操作によって弾発された打球を誘導する誘導レール１０がほぼ円状に植立され、その誘導レール１０に囲まれた領域が遊技領域１１を構成している。遊技領域１１のほぼ中央には、一対の可動部材２４ａ，２４ｂを有する変動入賞装置２０が配置されている。変動入賞装置２０は、本実施形態の要部を構成するものであるが、その詳細な構成については、後に詳述する。
【０００８】
また、変動入賞装置２０の下方には、複数の始動入賞口１２、１３ａ，１３ｂが横方向に並列配置されている。この始動入賞口１２、１３ａ，１３ｂに打球が入賞すると、変動入賞装置２０の可動部材２４ａ，２４ｂを比較的短い時間間隔で１回又は２回開閉動作させるようになっている。具体的には、中央に配置される始動入賞口１２に打球が入賞すると、可動部材２４ａ，２４ｂが２回開閉動作を行い、左右の始動入賞口１３ａ，１３ｂに打球が入賞すると、可動部材２４ａ，２４ｂが１回開閉動作を行う。なお、始動入賞口１２、１３ａ，１３ｂには、入賞した打球を検出するための始動検出スイッチ（図示しない）が内蔵されている。
【０００９】
更に、遊技領域１１には、変動入賞装置２０の上方及び左右側方に通常の入賞口１４、１５ａ，１５ｂが配置され、入賞口１５ａ，１５ｂの下部側方には、チューリップ入賞口１６ａ，１６ｂが配置されている。上記した入賞口及び入賞装置のうち、始動入賞口１２、１３ａ，１３ｂへの打球の入賞により排出される賞品玉数は、相対的に少ない数（例えば、７個）であり、それ以外の入賞口１４、１５ａ，１５ｂ，１６ａ，１６ｂ及び入賞装置２０への打球の入賞により排出される賞品玉数は、相対的に多い数（例えば、１５個）に設定されている。
【００１０】
次に、遊技領域１１のほぼ中央に配置される変動入賞装置２０の構成について図１乃至図７を参照して説明する。まず、変動入賞装置２０は、図５及び図６に示すように、遊技盤９の表面に取り付けられる取付基板２１を有し、その取付基板２１の上部前面に円弧状に上部障害部材２２が突設されている。この上部障害部材２２は、遊技領域１１を落下する打球の変動入賞装置２０への入賞を妨害するものである。また、上部障害部材２２には、後述する大当り状態となったときに変動入賞装置２０の可動部材２４ａ，２４ｂの１回の開状態（所定回数の開閉動作）に入賞した入賞玉数を表示する玉数表示ＬＥＤ２３がその前面に臨むように設けられている。本実施形態においては、後述するように可動部材２４ａ，２４ｂの１回の開状態（後述する開閉サイクル）に受け入れられる入賞玉の許容玉数は、１０個に設定されており、この１０個の入賞玉を表示するために５つの玉数表示ＬＥＤ２３を使用しているが、１〜５個までの入賞に対しては、それに対応する数のＬＥＤを点灯し、６〜１０個までの入賞に対しては、それに対応する数のＬＥＤを点灯から点滅に変化させることにより表示している。
【００１１】
上部障害部材２２の両端部には、一対の可動部材２４ａ，２４ｂが配置されている。この可動部材２４ａ，２４ｂは、円弧状の棒状部材が、上下方向に昇降運動するように構成されており、取付基板２１の後面側に延びる梃軸２５ａ，２５ｂ（ただし、２５ａは、図示しない）を開閉ソレノイド２６ａ，２６ｂによって揺動させることにより、上下方向に昇降運動させる。即ち、開閉ソレノイド２６ａ，２６ｂがＯＦＦのときには、図５に示すように可動部材２４ａ，２４ｂの上端が上部障害部材２２の両端と当接して遊技領域１１を落下する打球が受け入れられないようになっており、開閉ソレノイド２６ａ，２６ｂがＯＮのときには、図６に示すように可動部材２４ａ，２４ｂが下動して上部障害部材２２との間から打球が変動入賞装置２０内に入賞するようになっている。なお、開閉ソレノイド２６ａ，２６ｂの駆動は、前記始動入賞口１２、１３ａ，１３ｂへの打球の入賞時と、後述する大当り状態時に行われるようになっている。
【００１２】
上記した可動部材２４ａ，２４ｂは、取付基板２１の前面を覆う前面装飾板２７の内部に収納されるようになっているが、その前面装飾板２７の中央上部と下部に第２変動表示器２８と表示手段としての第１変動表示器２９とが臨むようになっている。この第２変動表示器２８と第１変動表示器２９とは、共に、常時変動しており、後述する継続検出器５０、通過玉検出器４１とによって入賞玉が検出されたときに、その変動表示を停止し、表示結果を導出する。なお、第１変動表示器２９は、０〜９までの数字を遊技者に視認できない速度で変動表示しており、第２変動表示器２８は、「１０」と「１６」とを交互に変動表示している。これらの作用については、後に詳述する。また、第２変動表示器２８と第１変動表示器２９との間の前面装飾板２７には、開口３０が開設され、該開口３０から後述する下部玉流下板４２と通常入賞口４４ａ，４４ｂ部分とを見ることができるようになっている。
【００１３】
ところで、前記可動部材２４ａ，２４ｂの開状態時に受け入れられた打球は、取付基板２１の中央に向かって傾斜する誘導面３１によって誘導され、その誘導面３１の流下端後面に形成された玉入口３２から取付基板２１の後方に誘導される。取付基板２１の後方には、図１に示すように、凹状の入賞空間が形成されており、その入賞空間の上部に前記玉入口３２に連続するように後方に向かって下り傾斜する上部玉流下板３３が形成されている。この上部玉流下板３３の上流側には、玉入口３２から流入した入賞玉を検出する入賞玉検出器３４が配置され、上部玉流下板３３の下流側には、間欠流下機構３５が設けられている。入賞玉検出器３４によって検出された入賞玉数は、前記玉数表示ＬＥＤ２３に表示されようになっている。
【００１４】
一方、間欠流下機構３５は、図７に示すように、入賞空間を構成する上面壁の上面に載置固定される間欠ソレノイド３６と、該間欠ソレノイド３６によって揺動動作される玉切り部材３７とから構成されている。玉切り部材３７は、その下方部分を支軸３８によって支持され、その上端が間欠ソレノイド３６に連結され、その下端に円弧状の凹部３９が形成されている。しかして、間欠ソレノイド３６がＯＦＦ状態のときには、図１の実線で示すように凹部３９が上部玉流下板３３を流下する入賞玉を受け入れ、間欠ソレノイド３９がＯＮ状態のときには、図１の二点鎖線で示すように凹部３９に受け入れられたままで入賞玉が下流側に移動されて開放され、次の入賞玉が上部玉流下板３３を流下してくるときには、凹部３９の端部で係止されるようになっている。そして、間欠ソレノイド３６は、前記入賞玉検出器３４が入賞玉を検出してから微小時間遅れてからＯＮとなり、そのＯＮ状態を所定時間（例えば、０．４〜０８秒の間の値に設定）保持した後、ＯＦＦ状態に移行する。この場合、入賞玉検出器３４で検出した入賞個数分だけは、確実にＯＮ・ＯＦＦ動作を繰り返すようになっている。したがって、変動入賞装置２０に連続して入賞玉が受け入れられても、それぞれの入賞玉は、間欠流下機構３５によって所定時間間隔を有して下流に向かって流下されることになる。
【００１５】
一方、上部玉流下板３３の後端には、下方に向かう落下通路４０が形成されており、該落下通路４０に通過玉検出器４１が臨むようになっている。通過玉検出器４１は、前記間欠流下機構３５によって送られた入賞玉を検出するもので、入賞玉が検出されると前記第１変動表示器２９の変動表示を短時間（間欠流下機構３５に設定される所定時間よりも短く且つ表示結果を遊技者が視認できる時間）停止させる。そして、第１変動表示器２９の変動表示が停止されたときにその表示結果が予め定めた特定表示（例えば、数字の７）が表示されたときには、後述する開放機構４５が駆動される。なお、特定表示が表示される確率は、後述する開閉サイクルにおいて許容される入賞玉数１０個が入賞したときに少なくとも１度は表示される可能性がある約１／１０に設定されている。
【００１６】
前記通過玉検出器４１を通過した入賞玉は、入賞空間の底面を構成する下部玉流下板４２上の中央に落下する。下部玉流下板４２は、前方に向かって下り傾斜するように構成され、その中央下流側に継続入賞口４３が開設され、下部玉流下板４２の両サイド前方には、通常入賞口４４ａ，４４ｂが設けられている。継続入賞口４３の入口には、誘導状態変更手段としての開放機構４５が設けられて常には、開放機構４５によって継続入賞口４３が閉塞されている。
【００１７】
開放機構４５は、下部玉流下板４２の下部裏面に固着される開放ソレノイド４６と、該開放ソレノイド４６によって前後方向に摺動する開閉部材４７とから構成されている。開閉部材４７の先端部には、障害突起４８が突設されるとともに、該突起４８の上流側に貫通穴４９が形成されている。この貫通穴４９は、前記継続入賞口４３とほぼ同じ形状に形成されている。
【００１８】
しかして、開放ソレノイド４６がＯＦＦ状態のときには、図３及び図４に示すように開放部材４７が上流側に位置して障害突起４８が継続入賞口４３を閉塞した状態となっているので、前記通過玉検出器４１を通過した入賞玉であって下部玉流下板４２の中央を流下する入賞玉は、障害突起４８に衝突して左右に振り分けられ、前記通常入賞口４４ａ，４４ｂに誘導される。一方、開放ソレノイド４６がＯＮ状態のときには、図１及び図２に示すように開放部材４７が下流側に位置して貫通穴４９と継続入賞口４３とが合致しており、このため、前記通過玉検出器４１を通過した入賞玉であって下部玉流下板４２の中央を流下する入賞玉は、継続入賞口４３に受け入れられてその下方に臨設される継続検出器５０によって検出される。つまり、開放機構４５は、入賞玉の継続入賞口４３に設けられる継続検出器５０に対する誘導状態を変更する誘導状態変更手段を構成するものである。なお、開放ソレノイド４６がＯＮ状態のときには、前記障害突起４８は、その下流側に形成された収納部５１に収納されるようになっている。また、開放ソレノイド４６のＯＮ時間は、第１変動表示器２９の変動表示が停止したとき、即ち、入賞玉が通過玉検出器４１を通過したときから該入賞玉が継続入賞口２３に到達するまでの時間より僅かに長い時間が設定される。
【００１９】
継続入賞口４３に入賞玉が入賞して継続検出器５０がＯＮすると、可動部材２４ａ，２４ｂの次の開状態が継続される。これについて簡単に説明すると、まず、始動入賞口１２、１３ａ，１３ｂへの入賞に基づく可動部材２４ａ，２４ｂの１回又は２回の開閉動作中に受け入れられた入賞玉が上述した経過を経て継続入賞口４３に入賞して継続検出器５０をＯＮしたときには、大当り状態となる。大当り状態になると、可動部材２４ａ，２４ｂが比較的短い時間間隔で所定回数（例えば、１０回又は１６回）の開閉動作を行うか、又はその所定回数の開閉動作中であって可動部材２４ａ，２４ｂに受け入れられた入賞玉数が所定個数（例えば、１０個）となるまでの開閉動作を行う。この開閉回数と入賞個数によって規制される開閉動作（以下、開閉サイクルという）は、開閉サイクル中に受け入れられた入賞玉が上述した経過を経て継続入賞口４３に入賞することを条件として所定回数（例えば、１５回）継続するようになっている。ただし、継続入賞口４３に入賞した時点で当該開閉サイクルは、直ちに終了して所定のインターバル時間を置いて次の開閉サイクルに移行するようになっている。
【００２０】
ところで、上記した開閉サイクルを規制する一方の条件である可動部材２４ａ，２４ｂの開閉回数は、本実施形態において、「１０」又は「１６」の２通りのうちからいずれか一方が選択されるようになっている。即ち、前記継続検出器５０のＯＮ信号が導出されると、前記第２変動表示器２８の変動が停止される。そして、その表示結果が「１０」であるときには、次の開閉サイクルにおける可動部材２４ａ，２４ｂの開閉回数は、１０回であり、表示結果が「１６」であるときには、次の開閉サイクルにおける可動部材２４ａ，２４ｂの開閉回数は、１６回に設定される。なお、第２変動表示器２８は、開閉サイクルと開閉サイクルとの間のインターバル時間の間は、継続回数を表示するようになっており、開閉サイクルが開始すると同時に「１０」と「１６」とを交互に変動表示する動作を開始するようになっている。この変動表示速度は、遊技者に視認できてもできなくても良い。
【００２１】
以上、説明した変動入賞装置２０を含むパチンコ機１の作用について主として図８を中心にして説明する。まず、始動入賞時の作用について説明すると、始動入賞口１２（スタートＢと表示）又は始動入賞口１３ａ，１３ｂ（スタートＡ、Ｃと表示）に打球が入賞すると、開閉ソレノイド２６ａ，２６ｂ（ソレノイドＣと表示）が２回又は１回ＯＮされて、可動部材２４ａ，２４ｂが開閉動作される。その可動部材２４ａ，２４ｂの開閉動作により変動入賞装置２０に打球が入賞すると、その入賞玉は、入賞玉検出器３４に（スイッチＣと表示）よって検出される。入賞玉検出器３４の検出信号は、玉数演算回路６０に送られるが、始動入賞時には、玉数演算回路６０の玉数表示ＬＥＤ２３（玉数表示発光ダイオードと表示）を駆動する駆動回路が不能動化されているので、玉数表示ＬＥＤ２３には、その入賞玉数が表示されない。
【００２２】
しかし、玉数演算回路６０からは、入賞玉が検出されたことに基づいて間欠ソレノイド３６（ソレノイドＡと表示）に駆動信号が送られ、間欠ソレノイド３６を駆動する。間欠ソレノイド３６の駆動により入賞玉が流下して通過玉検出器４１（スイッチＡと表示）によって検出され、変動表示している第１変動表示器２９の変動表示を表示制御回路６１（７セグメントストップＢと表示）で停止させ、その表示結果を第１変動表示器２９（７セグメント表示と表示）に表示する。そして、第１変動表示器２９に表示される表示結果が特定表示である「７」のときには、開放ソレノイド４６（ソレノイドＢと表示）が駆動される。一方、第１変動表示器２９の表示結果が特定表示以外の表示であるときには、開放ソレノイド４６が駆動されないので、大当り状態となることはない。つまり、表示手段としての第１変動表示器２９の表示によって継続入賞口４３に設けられる継続検出器５０に入賞玉が誘導され易いか否かを理解することができる。
【００２３】
開放ソレノイド４６が駆動されると継続入賞口４３が開放して入賞玉を受け入れ継続検出器５０（スイッチＢと表示）がＯＮして大当り状態となる。また、継続検出器５０のＯＮ信号に基づいて変動表示している第２変動表示器２８の変動表示を表示制御回路６２（７セグメントストップＡと表示）で停止させ、その表示結果を第２変動表示器２８（回数表示と表示）に表示する。しかして、第２変動表示器２８によって表示される数値は、１０か１６のいずれかであり、大当り状態の最初の開閉サイクルにおける可動部材２４ａ，２４ｂの開閉回数を決定する。なお、大当り状態になると、所定のインターバル時間を置いて最初の開閉サイクルに移行する。このインターバル時間に第２変動表示器２８に開閉サイクルの継続回数が表示される。
【００２４】
次に、開閉サイクル時における作用について説明すると、前述したように始動入賞時における継続検出器５０からのＯＮ信号に基づいて開閉サイクルを実行すべくソレノイドＣが前記第２変動表示器２８によって表示された開閉回数だけＯＮ駆動されて可動部材２４ａ，２４ｂが開閉駆動される。そして、その開閉駆動中に可動部材２４ａ，２４ｂに受け入れられた入賞玉がスイッチＣを通過した分玉数演算回路６０によって検出され、その検出信号数が玉数表示発光ダイオードに表示される。また、スイッチＣによって検出された玉数分だけソレノイドＡがＯＮされ所定時間間隔を空けてスイッチＡがＯＮされる。スイッチＡがＯＮされる毎に７セグメントＢが停止され、その表示結果が７であるか否かが判定され、７以外のときには、継続入賞口４３が開放されないので入賞玉は通常入賞口４４ａ，４４ｂに誘導され、７であるときには、継続入賞口４３が開放して入賞玉を継続入賞口４３に誘導する。
【００２５】
しかして、７セグメントＢの停止制御は、可動部材２４ａ，２４ｂに受け入れられた入賞玉毎に行われるので、受け入れられた入賞玉の何個目の入賞玉によって特定表示が出現するか分からず、その特定表示の出現タイミングが開閉サイクル毎に異なることになる。つまり、特定表示が導出されるタイミングによって継続入賞口４３への入賞玉の誘導パターンが開閉サイクル毎に異なり、遊技者の興味を引き付けることができる。
【００２６】
上記のようにして開閉サイクル時においても７セグメントＢに特定表示が表示された後には、前記始動入賞時と同様に、開放ソレノイド４６が駆動されて継続入賞口４３が開放して入賞玉を受け入れスイッチＢがＯＮして当該開閉サイクルを直ちに終了する。また、スイッチＢのＯＮ信号に基づいて変動表示している７セグメントＡを停止させ、その表示結果を第２変動表示器２８に表示する。しかして、第２変動表示器２８によって表示される数値は、１０か１６のいずれかであり、次の開閉サイクルにおける可動部材２４ａ，２４ｂの開閉回数を決定する。なお、開閉サイクルが終了すると、所定のインターバル時間を置いて次の開閉サイクルに移行する。このインターバル時間に第２変動表示器２８に開閉サイクルの継続回数が表示される。
【００２７】
なお、始動入賞時においても開閉サイクル時においても、間欠流下機構３５に複数の入賞玉が待機している状態で先に流下した入賞玉によって第１変動表示器２９に特定表示が導出されて継続入賞口４３に入賞玉が入賞したときには、直ちに可動部材２４ａ，２４ｂの開状態を終了してインターバル時間に移行するが、この時、インターバル時間内で間欠流下機構３５によって待機されている入賞玉をすべて処理すべく間欠流下機構３５を通常の速度よりも速く駆動することが望ましい。そして、インターバル時間中においては、通過玉検出器４１を不能動化して第１変動表示器２９を変動停止させないようにすればよい。
【００２８】
以上、実施形態に係る変動入賞装置２０の構成及び作用について説明してきたが、上記実施形態では、継続検出器５０のＯＮ作動により、開閉サイクルを規制する開閉回数が変化するものを示したが、変化するものではなく、一定の開閉回数のものでも良い。また、間欠流下機構３５と開放機構４５の構造も他の構造であっても良い。
【図面の簡単な説明】
【００２９】
【図１】実施形態に係る変動入賞装置の縦方向に切断した断面図であり、開放機構が作動している状態を示す。
【図２】変動入賞装置の開放機構が作動している状態を示す部分斜視図である。
【図３】変動入賞装置の縦方向に切断した断面図であり、開放機構が作動していない状態を示す。
【図４】変動入賞装置の開放機構が作動していない状態を示す部分斜視図である。
【図５】変動入賞装置を正面から見た斜視図である。
【図６】変動入賞装置の可動部材が開放している状態を示す斜視図である。
【図７】変動入賞装置の側面図である。
【図８】変動入賞装置の作用を説明するための説明図である。
【図９】実施形態に係る変動入賞装置が適用されるパチンコ機の正面図である。
【符号の説明】
【００３０】
１ パチンコ機
２０ 変動入賞装置
２４ａ，２４ｂ 可動部材
２９ 第１変動表示器（表示手段）
３５ 間欠流下機構
４１ 通過玉検出器
４３ 継続入賞口
４５ 開放機構（誘導状態変更手段）
５０ 継続検出器
【図１】
2004351222.tif 000003
【図２】
2004351222.tif 000004
【図３】
2004351222.tif 000005
【図４】
2004351222.tif 000006
【図５】
2004351222.tif 000007
【図６】
2004351222.tif 000008
【図７】
2004351222.tif 000009
【図８】
2004351222.tif 000010
【図９】
2004351222.tif 000011